(57)【特許請求の範囲】
【請求項１】
ヒートポンプサイクルにより水を沸き上げる沸き上げ用熱交換器を有するヒートポンプユニットと、
前記沸き上げ用熱交換器で沸き上げられた高温水を上側から貯留し、水源から供給される低温水を下側から貯留する貯湯タンクと、
前記貯湯タンクの下部または中間部に設けられた水戻り口と、
浴槽から導かれる浴槽水と熱源水との熱交換を行う追焚き用熱交換器と、
前記浴槽と前記追焚き用熱交換器とを接続する浴槽循環流路に浴槽水を循環させる浴槽循環ポンプと、
水を循環させる熱源循環ポンプと、
流路を切り替え可能な第１流路切替手段と、
流路を切り替え可能な第２流路切替手段と、
前記熱源循環ポンプの下流側と前記第２流路切替手段とを、前記ヒートポンプユニットを通らずに連通させる連通流路と、
前記貯湯タンクの下部と、前記第１流路切替手段と、前記熱源循環ポンプと、前記沸き上げ用熱交換器と、前記第２流路切替手段と、前記貯湯タンクの上部とをこの順に接続する流路に前記熱源循環ポンプを駆動して水を循環させ、前記ヒートポンプユニットを駆動することにより、前記貯湯タンク内の低温水を高温水に沸き上げる沸き上げ運転を行う手段と、
前記貯湯タンクの上部と、前記追焚き用熱交換器と、前記第１流路切替手段と、前記熱源循環ポンプと、前記連通流路と、第２流路切替手段と、前記貯湯タンクの前記水戻り口とをこの順に接続する流路に前記熱源循環ポンプを駆動して水を循環させることにより、前記貯湯タンクに貯えられた高温水を熱源水として前記追焚き用熱交換器に送る貯湯利用追焚き運転を行う手段と、
前記沸き上げ用熱交換器の出口と、前記第２流路切替手段と、前記追焚き用熱交換器と、前記第１流路切替手段と、前記熱源循環ポンプと、前記沸き上げ用熱交換器の入口とをこの順に接続する流路に前記熱源循環ポンプを駆動して水を循環させ、前記ヒートポンプユニットを駆動することにより、前記沸き上げ用熱交換器で沸き上げられた熱源水を前記貯湯タンクを介さずに前記追焚き用熱交換器に送るヒートポンプ利用追焚き運転を行う手段と、
前記ヒートポンプ利用追焚き運転の開始初期に前記追焚き用熱交換器で温度が低下した浴槽水が前記浴槽に流入することを抑制する制御を行う低温水流入抑制制御手段と、
を備える貯湯式給湯機。
【請求項２】
前記低温水流入抑制制御手段は、前記ヒートポンプ利用追焚き運転を開始するに際し、前記ヒートポンプユニットの起動当初の期間は前記浴槽循環ポンプを停止し、その後、前記浴槽循環ポンプの駆動を開始する請求項１記載の貯湯式給湯機。
【請求項３】
前記追焚き用熱交換器内または前記追焚き用熱交換器近傍の浴槽水の温度を検出する浴槽水温度検出手段を更に備え、
前記低温水流入抑制制御手段は、前記浴槽循環ポンプの停止中に前記浴槽水温度検出手段の検出温度が上昇傾向にあるか否かを判定し、上昇傾向にあると判定した場合に、前記浴槽循環ポンプの駆動を開始する請求項２記載の貯湯式給湯機。
【請求項４】
前記低温水流入抑制制御手段は、過去所定時間以内に前記ヒートポンプユニットが駆動された履歴があるか否かを判断し、前記履歴がある場合には前記ヒートポンプ利用追焚き運転を実行し、前記履歴がない場合には前記貯湯利用追焚き運転を実行する請求項１記載の貯湯式給湯機。
【請求項５】
前記貯湯タンクの上部と、前記追焚き用熱交換器と、前記第１流路切替手段と、前記熱源循環ポンプと、前記沸き上げ用熱交換器と、前記第２流路切替手段と、前記貯湯タンクの前記水戻り口とをこの順に接続する流路に前記熱源循環ポンプを駆動して水を循環させることにより、前記貯湯タンクに貯えられた高温水を熱源水として前記追焚き用熱交換器に送る第２の貯湯利用追焚き運転を行う手段を更に備え、
前記低温水流入抑制制御手段は、前記ヒートポンプ利用追焚き運転を開始するに際し、一時的に前記第２の貯湯利用追焚き運転を実行し、その後、前記ヒートポンプ利用追焚き運転を実行する請求項１記載の貯湯式給湯機。
【請求項６】
前記低温水流入抑制制御手段は、前記第２の貯湯利用追焚き運転により前記貯湯タンクの上部から取り出された熱源水が前記追焚き用熱交換器、前記第１流路切替手段、前記熱源循環ポンプおよび前記沸き上げ用熱交換器を経由して前記第２流路切替手段に到達した時点以降に、前記ヒートポンプ利用追焚き運転を実行する請求項５記載の貯湯式給湯機。
【請求項７】
前記貯湯タンクの下部と、前記第１流路切替手段と、前記熱源循環ポンプと、前記沸き上げ用熱交換器と、前記第２流路切替手段と、前記水戻り口とをこの順に接続する流路に水を循環させて前記ヒートポンプユニットを駆動するバイパス運転を行う手段と、
前記沸き上げ用熱交換器から流出する湯水の温度を検出するヒートポンプ出口温度検出手段と、
を更に備え、
前記低温水流入抑制制御手段は、前記ヒートポンプ利用追焚き運転を開始するに際し、一時的に前記バイパス運転を実行し、前記ヒートポンプ出口温度検出手段の検出温度が所定の判定温度以上となった後、前記ヒートポンプ利用追焚き運転を実行する請求項１記載の貯湯式給湯機。
【請求項８】
前記ヒートポンプ利用追焚き運転を終了して前記ヒートポンプユニットを停止した場合に、前記ヒートポンプ利用追焚き運転と同じ流路のままで前記熱源循環ポンプを駆動して湯水を循環させることにより前記沸き上げ用熱交換器を冷却する冷却動作を行う手段を更に備える請求項１乃至７の何れか１項記載の貯湯式給湯機。
【発明の詳細な説明】
【技術分野】
【０００１】
本発明は、貯湯式給湯機に関する。
【背景技術】
【０００２】
空気の熱を吸熱して水を加熱するヒートポンプユニットと、このヒートポンプユニットにより沸き上げられた湯（高温水）を貯留する貯湯タンクと、浴槽から導かれる浴槽水を熱源水と熱交換して加熱するための追焚き用熱交換器とを備えた貯湯式給湯機が広く用いられている。浴槽内の湯水を追焚き（保温または加温）する際には、通常、貯湯タンクに貯えられた湯を熱源水として追焚き用熱交換器に送り、熱交換後の熱源水を貯湯タンクの下部に戻す貯湯利用追焚き運転を行う。追焚き用熱交換器で熱交換した後の熱源水は、４０℃程度の中温水となる。このため、貯湯利用追焚き運転を行うと、貯湯タンクの下部に中温水が生成する。一般に、ヒートポンプユニットのＣＯＰ（成績係数＝供給した熱エネルギー÷使った電気エネルギー）は、ヒートポンプユニットへの入水温度が高いほど、悪化する。貯湯タンクの下部に中温水が生成すると、次回の沸き上げ運転において中温水がヒートポンプユニットへ入水するので、入水温度が高くなり、ＣＯＰが悪化する。
【０００３】
そこで、従来より、貯湯タンク内に中温水が生成することを抑制するため、ヒートポンプユニットで沸き上げた湯を熱源水としてそのまま追焚き用熱交換器に送り、熱交換後の温度低下した熱源水を再びヒートポンプユニットに戻す循環回路とするヒートポンプ利用追焚き運転を実行する貯湯式給湯機が提案されている。しかしながら、ヒートポンプ利用追焚き運転の開始初期に、追焚き用熱交換器から低温の浴槽水が浴槽に送られてしまう可能性がある。この主な原因は、ヒートポンプユニットからの出湯温度が上昇するまでに時間がかかることや、ヒートポンプユニットと貯湯タンクユニットとの間の流路に滞留していた冷水が追焚き用熱交換器に送られて浴槽水の熱を奪うことにある。この対策として、ヒートポンプユニット利用追焚き運転を開始する場合に、ヒートポンプユニットからの出湯温度が所定温度以上となるまで、またはヒートポンプユニットの起動後一定時間が経過するまでの間は、高温さし湯または貯湯利用追焚き運転を行い、その後にヒートポンプ利用追焚き運転に切り替えるようにする技術が提案されている（例えば特許文献１乃至３参照）。
【先行技術文献】
【特許文献】
【０００４】
【特許文献１】特開２００７−１１３８３６号公報
【特許文献２】特開２００９−８５４３９号公報
【特許文献３】特許第４４０７６４３号公報
【発明の概要】
【発明が解決しようとする課題】
【０００５】
しかしながら、ヒートポンプ利用追焚き運転の前に高温さし湯を行う技術では、使用者の意に反して浴槽の湯を増加させることになるので、好ましいとは言えず、浴槽から湯が溢れる可能性もある。
【０００６】
また、ヒートポンプ利用追焚き運転の前に貯湯利用追焚き運転を行う技術では、貯湯タンク内に中温水が生成することを完全に抑制することはできないため、ＣＯＰの悪化を避けることができない。
【０００７】
本発明は、上述のような課題を解決するためになされたもので、貯湯タンク内に中温水が生成することを抑制し、且つ、追焚き開始時の浴槽への低温水の流入を抑制することのできる貯湯式給湯機を提供することを目的とする。
【課題を解決するための手段】
【０００８】
本発明に係る貯湯式給湯機は、ヒートポンプサイクルにより水を沸き上げる沸き上げ用熱交換器を有するヒートポンプユニットと、沸き上げ用熱交換器で沸き上げられた高温水を上側から貯留し、水源から供給される低温水を下側から貯留する貯湯タンクと、貯湯タンクの下部または中間部に設けられた水戻り口と、浴槽から導かれる浴槽水と熱源水との熱交換を行う追焚き用熱交換器と、浴槽と追焚き用熱交換器とを接続する浴槽循環流路に浴槽水を循環させる浴槽循環ポンプと、ヒートポンプユニットとタンクユニットを接続する配管内、及びタンクユニット内の追焚き熱交換器内の湯水を循環させる熱源循環ポンプと、流路を切り替え可能な第１流路切替手段と、流路を切り替え可能な第２流路切替手段と、熱源循環ポンプの下流側と第２流路切替手段とを、ヒートポンプユニットを通らずに連通させる連通流路と、貯湯タンクの下部と、第１流路切替手段と、熱源循環ポンプと、沸き上げ用熱交換器と、第２流路切替手段と、貯湯タンクの上部とをこの順に接続する流路に熱源循環ポンプを駆動して水を循環させ、ヒートポンプユニットを駆動することにより、貯湯タンク内の低温水を高温水に沸き上げる沸き上げ運転を行う手段と、貯湯タンクの上部と、追焚き用熱交換器と、第１流路切替手段と、熱源循環ポンプと、連通流路と、第２流路切替手段と、貯湯タンクの水戻り口とをこの順に接続する流路に熱源循環ポンプを駆動して水を循環させることにより、貯湯タンクに貯えられた高温水を熱源水として追焚き用熱交換器に送る貯湯利用追焚き運転を行う手段と、沸き上げ用熱交換器の出口と、第２流路切替手段と、追焚き用熱交換器と、第１流路切替手段と、熱源循環ポンプと、沸き上げ用熱交換器の入口とをこの順に接続する流路に熱源循環ポンプを駆動して水を循環させ、ヒートポンプユニットを駆動することにより、沸き上げ用熱交換器で沸き上げられた熱源水を貯湯タンクを介さずに追焚き用熱交換器に送るヒートポンプ利用追焚き運転を行う手段と、ヒートポンプ利用追焚き運転の開始初期に追焚き用熱交換器で温度が低下した浴槽水が浴槽に流入することを抑制する制御を行う低温水流入抑制制御手段と、を備えたものである。
【発明の効果】
【０００９】
本発明によれば、貯湯タンク内に中温水が生成することを抑制し、且つ、追焚き開始時の浴槽への低温水の流入を抑制することが可能となる。
【図面の簡単な説明】
【００１０】
【図１】本発明の実施の形態１の貯湯式給湯機を示す構成図である。
【図２】本発明の実施の形態１の貯湯式給湯機における貯湯利用追焚き運転状態での回路構成図である。
【図３】本発明の実施の形態１の貯湯式給湯機におけるヒートポンプ利用追焚き運転状態での回路構成図である。
【図４】本発明の実施の形態１の貯湯式給湯機における浴槽保温制御のフローチャートである。
【図５】本発明の実施の形態１の貯湯式給湯機において浴槽の温度を検出するために浴槽循環ポンプが駆動されたときの湯水の流れを示す図である。
【図６】本発明の実施の形態１の貯湯式給湯機においてヒートポンプ利用追焚き運転の開始時に浴槽循環ポンプを停止したときの湯水の流れを示す図である。
【図７】本発明の実施の形態２の貯湯式給湯機における浴槽保温制御のフローチャートである。
【図８】本発明の実施の形態３の貯湯式給湯機における第２の貯湯利用追焚き運転状態での回路構成図である。
【図９】本発明の実施の形態３の貯湯式給湯機における浴槽保温制御のフローチャートである。
【図１０】本発明の実施の形態４の貯湯式給湯機における浴槽保温制御のフローチャートである。
【図１１】本発明の実施の形態１の貯湯式給湯機におけるバイパス運転状態での回路構成図である。
【図１２】本発明の実施の形態６の貯湯式給湯機において浴槽水出口部温度検出手段により検出される浴槽水出口温度の上昇傾向を判定するフローチャートである。
【発明を実施するための形態】
【００１１】
以下、図面を参照して本発明の実施の形態について説明する。なお、各図において共通する要素には、同一の符号を付して、重複する説明を省略する。また、各図において説明の中心となる流路を太線で示し、湯水の流れ方向を矢印で示す。
【００１２】
実施の形態１．
図１は、本発明の実施の形態１の貯湯式給湯機を示す構成図である。図１に示す貯湯式給湯機１００は、貯湯タンクユニット２００と、ヒートポンプサイクルを利用するように構成されたヒートポンプユニット（ＨＰＵ）３００とを備えている。貯湯タンクユニット２００とヒートポンプユニット３００とは、ヒートポンプ出口配管１９、ヒートポンプ入口配管２０および電気配線（図示せず）を介して接続されている。ヒートポンプ出口配管１９やヒートポンプ入口配管２０の長さは、貯湯タンクユニット２００の設置箇所とヒートポンプユニット３００の設置箇所との距離に応じて、変化する。
【００１３】
貯湯タンクユニット２００には制御部１（制御手段）が内蔵され、ヒートポンプユニット３００には制御部１５が内蔵されている。貯湯タンクユニット２００が備える各種の弁類、ポンプ類などの動作は、これらと電気的に接続された制御部１によって制御される。ヒートポンプユニット３００の制御部１５は、主に貯湯タンクユニット２００の制御部１からの指示に基づき、ヒートポンプユニット３００の動作を制御する。浴室あるいは台所等には、図示しないリモコン（ユーザーインターフェース装置）が設置され、制御部１と通信可能に接続されている。このリモコンには、使用者が給湯温度等の各種の設定や指示を入力するための入力手段のほか、情報を表示可能なディスプレイ、音声、アラーム等を発生可能なスピーカなどの報知手段が備えられている。以下、貯湯式給湯機１００の各構成要素について説明する。
【００１４】
ヒートポンプユニット３００は、貯湯タンクユニット２００から導かれた低温水等を加熱（沸き上げ）するための加熱手段として機能するものである。ヒートポンプユニット３００は、前述した制御部１５のほか、図示を一部省略するが、空気の熱を取込み冷媒に与える空気熱交換器と、空気熱交換器に送風するための送風ファンと、冷媒の膨張収縮を制御する膨張弁と、冷媒を圧縮する圧縮機と、圧縮機を通過した高温の冷媒により湯水を加熱する沸き上げ用熱交換器１８と、沸き上げ用熱交換器１８に流入する湯水の温度を検出するヒートポンプ入口温度検出手段１７と、沸き上げ用熱交換器１８から流出する湯水の温度を検出するヒートポンプ出口温度検出手段１６とを備えている。
【００１５】
貯湯タンクユニット２００には、前述した制御部１のほか、以下の各種機器や配管などが内蔵されている。貯湯タンク５は、略円筒形状をなし、その内部には、ヒートポンプユニット３００の沸き上げ用熱交換器１８で沸き上げられた高温水（湯）を上側から貯留し、市水等の水源から供給される低温水を下側から貯留することができる。貯湯タンク５の下部に設けられた水導入口４４には、給水配管４２が接続されている。給水配管４２には、水源からの水を供給する給水配管４０が減圧弁８を介して接続されている。水源からの水は、給水配管４０、減圧弁８、給水配管４２を通って、水導入口４４から貯湯タンク５内の下部に流入する。貯湯タンク５の上部に接続された上部ポート２８には、給湯配管２９と、配管２７とが連通している。貯湯タンク５には、複数の残湯温度センサ（図示せず）が高さの異なる位置に取り付けられている。制御部１は、それらの残湯温度センサにより貯湯タンク５内の湯水の温度分布を検出し、その温度分布に基づいて貯湯タンク５内の残湯量（蓄熱量）を算出し、その算出値に基づいて後述する沸き上げ運転の開始および停止などを制御する。
【００１６】
また、貯湯タンクユニット２００内には、熱源循環ポンプ３と、追焚き用熱交換器９（ＨＥＸ）とが内蔵されている。追焚き用熱交換器９は、貯湯タンク５あるいはヒートポンプユニット３００から供給される高温水を１次側の熱源水として利用して、２次側の浴槽水を加熱するための熱交換器である。追焚き用熱交換器９は、配管３４，３５，３６，３７，３８および３９からなる浴槽循環流路を介して浴槽１３と接続されており、この浴槽循環流路の途中には浴槽水を循環させるための浴槽循環ポンプ１２が設置されている。また、追焚き用熱交換器９内または追焚き用熱交換器９の近傍の浴槽水流路には、追焚き用熱交換器９の浴槽水の出口部の温度を検出する浴槽水出口部温度検出手段１０と、追焚き用熱交換器９の浴槽水の入口部の温度を検出する浴槽水入口部温度検出手段１１とが設けられている。
【００１７】
次に、貯湯タンクユニット２００が備える弁類および配管類について説明する。貯湯タンクユニット２００は、第１流路切替手段４と、第２流路切替手段２とを有している。本実施形態では、第１流路切替手段４は、３つのポートを有する三方弁で構成され、第２流路切替手段２は、４つのポートを有する四方弁で構成されている。
【００１８】
また、貯湯タンクユニット２００は、沸き上げ往き流路３０、ポンプ流路２２、沸き上げ戻り流路２１、配管２６，２７、バイパス流路２４、連通流路２３、熱源水往き流路３１および熱源水戻り流路３２を有している。沸き上げ往き流路３０は、貯湯タンク５の下部に設けられた水導出口４５と、第１流路切替手段４との間を接続している。ポンプ流路２２は、第１流路切替手段４とヒートポンプ入口配管２０との間を接続している。ポンプ流路２２の途中には、熱源循環ポンプ３が設けられている。沸き上げ戻り流路２１は、ヒートポンプ出口配管１９と第２流路切替手段２との間を接続している。配管２６，２７は、第２流路切替手段２と貯湯タンク５の上部ポート２８との間を接続している。バイパス流路２４は、貯湯タンク５の下部または中間部に設けられた水戻り口４６と、第２流路切替手段２との間を接続している。連通流路２３は、その一端が熱源循環ポンプ３の下流側のポンプ流路２２に連通し、他端が第２流路切替手段２に接続されている。熱源水往き流路３１は、配管２６，２７の接続部から分岐して延び、追焚き用熱交換器９の熱源水導入口に接続されている。熱源水戻り流路３２は、追焚き用熱交換器９の熱源水排出口と、第１流路切替手段４との間を接続している。
【００１９】
更に、貯湯タンクユニット２００は、給水分岐管４１、給湯混合弁６、ふろ混合弁７、混合水給湯管４３および浴槽水給湯管３３を有している。給水分岐管４１は、減圧弁８の下流側で給水配管４０から分岐した管路であり、給湯混合弁６およびふろ混合弁７にそれぞれ接続されている。給湯混合弁６およびふろ混合弁７には、給湯配管２９が更に接続されている。給湯混合弁６およびふろ混合弁７は、それぞれ、貯湯タンク５から給湯配管２９を介して供給される高温水と、給水分岐管４１から供給される低温水との流量比を調整することにより、リモコンにて使用者が設定した設定温度に調整して温水を供給する弁である。給湯混合弁６で温度調整された温水は、混合水給湯管４３を通って、浴室のシャワーやカラン、台所の蛇口など（図示せず）に供給される。ふろ混合弁７で設定温度に調整された温水は、浴槽水給湯管３３および浴槽循環流路を経て、浴槽１３に供給される。
【００２０】
本実施形態では、運転状態に応じて、第１流路切替手段４を次の２つの流路形態に切り替える。第１流路切替手段４の第１流路形態は、沸き上げ往き流路３０とポンプ流路２２とを連通させて熱源水戻り流路３２を遮断する流路形態である。この第１流路形態では、貯湯タンク５の水導出口４５が、沸き上げ往き流路３０、ポンプ流路２２およびヒートポンプ入口配管２０を介して、沸き上げ用熱交換器１８と連通する。第１流路切替手段４の第２流路形態は、熱源水戻り流路３２とポンプ流路２２とを連通させて沸き上げ往き流路３０を遮断する流路形態である。この第２流路形態では、熱源水戻り流路３２が、ポンプ流路２２およびヒートポンプ入口配管２０を介して、沸き上げ用熱交換器１８と連通する。
【００２１】
また、本実施形態では、運転状態に応じて、第２流路切替手段２を次の３つの流路形態に切り替える。第２流路切替手段２の第１流路形態は、沸き上げ戻り流路２１と配管２６とを連通させてバイパス流路２４および連通流路２３を遮断する流路形態である。この第１流路形態では、沸き上げ用熱交換器１８がヒートポンプ出口配管１９、沸き上げ戻り流路２１および配管２６，２７を介して貯湯タンク５の上部ポート２８と連通する。第２流路切替手段２の第２流路形態は、沸き上げ戻り流路２１とバイパス流路２４とを連通させて配管２６および連通流路２３を遮断する流路形態である。この第２流路形態では、沸き上げ用熱交換器１８がヒートポンプ出口配管１９を介してバイパス流路２４と連通する。第２流路切替手段２の第３流路形態は、バイパス流路２４と連通流路２３とを連通させて沸き上げ戻り流路２１および配管２６を遮断する流路形態である。
【００２２】
図１は、貯湯式給湯機１００における待機状態での回路構成を示している。待機状態とは、後述する沸き上げ運転や追焚き運転などの何れの運転も行っていない状態のことである。図１に示すように、待機状態では、第１流路切替手段４は、第１流路形態に制御される。これにより、沸き上げ往き流路３０とヒートポンプ入口配管２０とがポンプ流路２２を介して連通し、熱源水戻り流路３２は遮断される。また、第２流路切替手段２は、第２流路形態に制御される。これにより、ヒートポンプ出口配管１９とバイパス流路２４とが沸き上げ戻り流路２１を介して連通し、配管２６および連通流路２３は遮断される。この待機状態では、熱源循環ポンプ３、ヒートポンプユニット３００および浴槽循環ポンプ１２は何れも停止状態である。バイパス運転は、後述する沸き上げ運転等を実施する際の初期段階において、ヒートポンプユニット３００の出力が所望の出力に到達する前に行われる。バイパス運転時の回路構成は待機状態と同一となり、熱源循環ポンプ３およびヒートポンプユニット３００が駆動状態となる。
【００２３】
次に、貯湯式給湯機１００における沸き上げ運転状態での回路構成について説明する。沸き上げ運転とは、ヒートポンプユニット３００を利用して貯湯タンク５内の低温水を沸き上げ、高温水を貯える運転である。沸き上げ運転時には、第１流路切替手段４は、バイパス運転時と同様に第１流路形態に制御される。一方、第２流路切替手段２は、第１流路形態に制御される。これにより、ヒートポンプ出口配管１９と配管２６とが沸き上げ戻り流路２１を介して連通するとともに、バイパス流路２４および連通流路２３は遮断される。
【００２４】
沸き上げ運転は、上記のように第１流路切替手段４および第２流路切替手段２が制御された状態で、熱源循環ポンプ３およびヒートポンプユニット３００を駆動することにより実行される。その結果、貯湯タンク５下部の水導出口４５から流出する低温水は、沸き上げ往き流路３０、第１流路切替手段４、ポンプ流路２２（熱源循環ポンプ３）およびヒートポンプ入口配管２０をこの順に経由してヒートポンプユニット３００に導かれ、沸き上げ用熱交換器１８において加熱されて高温水（湯）となり、ヒートポンプ出口配管１９、沸き上げ戻り流路２１、第２流路切替手段２および配管２６，２７をこの順に経由して、貯湯タンク５の上部ポート２８から貯湯タンク５内に流入し貯えられる。このような沸き上げ運転が実行されることで、貯湯タンク５の内部では、上層部から高温水が貯えられていき、この高温水の層が徐々に厚くなる。その後、所定量の高温水が貯えられるまで沸き上げ運転を継続した後に、熱源循環ポンプ３およびヒートポンプユニット３００を停止し、第２流路切替手段２を第２流路形態に制御することにより、待機状態への切替を実施する。
【００２５】
図２は、貯湯式給湯機１００における貯湯利用追焚き運転状態での回路構成図である。貯湯利用追焚き運転とは、貯湯タンク５内に貯えられた高温水を熱源水として追焚き用熱交換器９に送ることによって浴槽１３内の湯水（浴槽水）を加温または保温する運転のことである。図２に示すように、貯湯利用追焚き運転時には、第１流路切替手段４は第２流路形態に制御され、第２流路切替手段２は第３流路形態に制御される。貯湯利用追焚き運転は、上記のように第１流路切替手段４および第２流路切替手段２が制御された状態で、熱源循環ポンプ３および浴槽循環ポンプ１２を駆動することにより実行される。この貯湯利用追焚き運転では、貯湯タンク５の上部ポート２８から流出する高温水（熱源水）は、配管２７および熱源水往き流路３１を経由して追焚き用熱交換器９に導かれ、追焚き用熱交換器９において浴槽循環流路を循環する浴槽水と熱交換する。熱交換後の温度低下した熱源水（中温水）は、熱源水戻り流路３２、第１流路切替手段４、ポンプ流路２２（熱源循環ポンプ３）、連通流路２３、第２流路切替手段２およびバイパス流路２４をこの順に経由して、水戻り口４６から貯湯タンク５内に流入する。
【００２６】
図３は、貯湯式給湯機１００におけるヒートポンプ利用追焚き運転状態での回路構成図である。ヒートポンプ利用追焚き運転とは、ヒートポンプユニット３００の沸き上げ用熱交換器１８によって沸き上げた高温水を熱源水として追焚き用熱交換器９に送ることによって浴槽１３内の湯水を加温または保温する運転のことである。図３に示すように、ヒートポンプ利用追焚き運転時には、第１流路切替手段４が第２流路形態に制御され、第２流路切替手段２が第１流路形態に制御され、熱源循環ポンプ３、ヒートポンプユニット３００および浴槽循環ポンプ１２を駆動させる。このヒートポンプ利用追焚き運転状態では、ヒートポンプユニット３００の沸き上げ用熱交換器１８にて加熱された熱源水が、ヒートポンプ出口配管１９、沸き上げ戻り流路２１、第２流路切替手段２、配管２６および熱源水往き流路３１をこの順に経由して追焚き用熱交換器９に送られ、追焚き用熱交換器９において浴槽循環流路を循環する浴槽水と熱交換する。熱交換後の温度低下した熱源水は、熱源水戻り流路３２、第１流路切替手段４、ポンプ流路２２（熱源循環ポンプ３）、ヒートポンプ入口配管２０をこの順に経由してヒートポンプユニット３００に戻り、沸き上げ用熱交換器１８にて再び沸き上げられ、再循環する。
【００２７】
本実施形態では、上述した沸き上げ運転、貯湯利用追焚き運転、ヒートポンプ利用追焚き運転、バイパス運転の何れにおいても、同一の熱源循環ポンプ３を用いて湯水を循環させることができる。このため、ポンプの個数を削減でき、コスト低減、重量軽減が図れる。また、連通流路２３および第２流路切替手段２を設けたことにより、貯湯利用追焚き運転状態における熱源水の循環回路が貯湯タンクユニット２００内のみで構成される。すなわち、貯湯利用追焚き運転の際に、熱源水がヒートポンプ出口配管１９やヒートポンプ入口配管２０、ヒートポンプユニット３００を経由して循環する必要がなく、熱源水の循環経路が短い。このため、熱源水循環回路の圧力損失が低減し、高効率に貯湯利用追焚き運転を行うことができる。
【００２８】
貯湯利用追焚き運転を行った場合には貯湯タンク５内に中温水が生成するが、ヒートポンプ利用追焚き運転を行った場合には貯湯タンク５内に中温水が生成しない。このため、ヒートポンプ利用追焚き運転を行った場合には、次回の沸き上げ運転におけるヒートポンプユニット３００への入水温度を上昇させることがなく、ＣＯＰの悪化を回避することができる。また、ヒートポンプ利用追焚き運転を行った場合には、貯湯タンク５内の蓄熱量を減少させることがないという利点もある。
【００２９】
しかしながら、ヒートポンプ利用追焚き運転の場合、運転開始の初期に、追焚き用熱交換器９から低温の浴槽水が浴槽１３に送られてしまう可能性がある。この主な原因は、ヒートポンプユニット３００を起動してからヒートポンプ出口温度が上昇するまでに時間がかかることや、ヒートポンプ出口配管１９内やヒートポンプ入口配管２０内に滞留していた冷水が追焚き用熱交換器９に送られて浴槽水の熱を奪うことにある。本発明では、この問題を解決するため、ヒートポンプ利用追焚き運転の開始初期に低温の浴槽水が追焚き用熱交換器９から浴槽１３に流入することを抑制する低温水流入抑制制御を実施する。実施の形態１の低温水流入抑制制御では、ヒートポンプ利用追焚き運転を開始するに際し、ヒートポンプユニット３００の起動当初の期間は浴槽循環ポンプ１２を停止することにより、追焚き用熱交換器９から低温の浴槽水が浴槽１３に流入することを防止する。そして、ヒートポンプユニット３００の能力が立ち上がった後、浴槽循環ポンプ１２の駆動を開始する。
【００３０】
図４は、実施の形態１における浴槽保温制御のフローチャートである。以下、図４を参照して、実施の形態１の低温水流入抑制制御について更に説明する。浴槽１３を自動で保温する浴槽自動モードが設定されている場合（ステップＳ０）には、数分毎（例えば１０分毎）に保温動作要求が出され、浴槽１３の温度を検出するために浴槽循環ポンプ１２が駆動され、所定時間（例えば６０秒）後、停止する（ステップＳ１）。図５は、このときの湯水の流れを示している。ステップＳ１では、浴槽水があることをフローセンサ（図示せず）により確認し、ステップＳ２に進む。ステップＳ２では、浴槽水入口部温度検出手段１１により検出される浴槽温度Ｔｊと、使用者により設定された浴槽設定温度Ｔｂｓｅｔとを比較する。浴槽設定温度Ｔｂｓｅｔに対する浴槽温度Ｔｊの低下幅が所定温度α℃（例えば０．５℃）以上の場合には、加温が必要と判断し、ステップＳ３に進む。そうでない場合には、まだ加温は不要と判断し、ステップＳ１１に進み、待機する。
【００３１】
ステップＳ３では、浴槽設定温度Ｔｂｓｅｔに対する浴槽温度Ｔｊの低下幅や、現在の貯湯タンク５内の蓄熱量などに基づき、所定の規則に従って、現在の状況に適した追焚き運転が貯湯利用追焚き運転であるかヒートポンプ利用追焚き運転であるかを判定する。次いで、ステップＳ４に進み、ステップＳ３の判定結果が貯湯利用追焚き運転であるかヒートポンプ利用追焚き運転であるかを確認する。ステップＳ３の判定結果が貯湯利用追焚き運転である場合には、ステップＳ１２に進み、図２に示す貯湯利用追焚き運転を開始する。ステップＳ１２では、更に、リモコンのディスプレイに「保温」の表示を行うことにより、保温動作の開始を使用者に報知する。
【００３２】
一方、ステップＳ３の判定結果がヒートポンプ利用追焚き運転である場合には、ステップＳ５に進む。ステップＳ５では、浴槽循環ポンプ１２を停止させ、第２流路切替手段２を沸き上げ側（第１流路形態）に切り替え、第１流路切替手段４を追焚き用熱交換器９側（第２流路形態）に切り替え、ヒートポンプユニット３００および熱源循環ポンプ３を起動する。図６は、このときの湯水の流れを示す図である。ステップＳ５では、更に、浴槽水出口部温度検出手段１０により検出される追焚き用熱交換器９の浴槽水の出口部の温度Ｔｃｏの変化を監視するとともに、浴槽循環ポンプ１２の停止時間Ｔｐｐｓのカウントアップを開始し、ステップＳ６に進む。
【００３３】
ステップＳ６では、浴槽循環ポンプ１２の停止時間Ｔｐｐｓが所定の上限時間Ａ分以内であるか否かを判断する。この上限時間Ａ分は、ヒートポンプユニット３００で沸き上げられた熱源水が追焚き用熱交換器９に到達し、その熱源水の熱が追焚き用熱交換器９内に滞留している浴槽水に伝達して浴槽水出口部温度Ｔｃｏが上昇し始めるのに十分な時間として予め設定される。ヒートポンプ出口配管１９およびヒートポンプ入口配管２０の長さが長い場合ほど、上限時間Ａ分を長くする必要があるので、ヒートポンプ出口配管１９やヒートポンプ入口配管２０が最長（例えば２５ｍ）となる場合を見込んで上限時間Ａ分を例えば１０分と設定してもよい。
【００３４】
ステップＳ６で浴槽循環ポンプ１２の停止時間Ｔｐｐｓがまだ上限時間Ａ分に達していないと判断された場合には、ステップＳ７に移行する。ステップＳ７では、浴槽水出口温度Ｔｃｏが上昇傾向にあるか否かを判定する。具体的には、現在の浴槽水出口温度Ｔｃｏ（Ｎ）と、１サンプリング周期前の浴槽水出口温度Ｔｃｏ（Ｎ−１）との差ΔＴｃｏが正となる状態が所定時間Ｂ秒間（例えば１０秒間）連続で確認できた場合には浴槽水出口温度Ｔｃｏが上昇傾向にあると判定し、そうでない場合には上昇傾向にないと判定する。浴槽水出口温度Ｔｃｏが上昇傾向にないと判定された場合には、ステップＳ６以降を再度実行する。
【００３５】
ステップＳ７で浴槽水出口温度Ｔｃｏが所定時間Ｂ秒間、連続的に上昇傾向にあると判定された場合には、ヒートポンプユニット３００から追焚き用熱交換器９に到達した熱源水の温度が十分に高い温度になっていると判断できるので、ヒートポンプ利用追焚き運転の開始が許可される。すなわち、この場合には、まず、ステップＳ８に進み、浴槽循環ポンプ１２の停止時間Ｔｐｐｓをクリアし、浴槽水出口温度Ｔｃｏの監視を終了する。なお、上限時間Ａ分内に浴槽水出口温度Ｔｃｏが一度上昇してもその後に下降した場合は上昇傾向ではないと判断し、ステップＳ６に戻る。次いで、ステップＳ９に進み、浴槽循環ポンプ１２を駆動する。これにより、図３に示すヒートポンプ利用追焚き運転が開始する。続いて、保温動作の開始を使用者に報知するため、ステップＳ１０に進み、リモコンのディスプレイに「保温」の表示を行う。
【００３６】
なお、ステップＳ６で浴槽循環ポンプ１２の停止時間Ｔｐｐｓが上限時間Ａ分を超えた場合には、保温動作の開始が遅れることを防止するため、ステップＳ１２に進み、貯湯利用追焚き運転に切り替えて保温動作を実行する。
【００３７】
以上説明したように、本実施形態の貯湯式給湯機１００によれば、貯湯タンク５内の中温水を生成しないヒートポンプ利用追焚き運転を行うことができるので、貯湯タンク５内の中温水の生成を抑制することができ、ＣＯＰの悪化を抑制することができる。また、本実施形態では、ヒートポンプ利用追焚き運転を開始するに際して、ヒートポンプユニット３００の起動当初の、追焚き用熱交換器９に送られる熱源水の温度が低い期間は、浴槽循環ポンプ１２を停止するので、追焚き用熱交換器９から低温の浴槽水が浴槽１３に流入することを確実に抑制することができる。特に、本実施形態では、追焚き用熱交換器９の近傍の浴槽水出口温度Ｔｃｏが経時的に上昇する傾向となったことを判定した後に浴槽循環ポンプ１２の駆動を開始するようにしたことにより、追焚き用熱交換器９から低温の浴槽水が浴槽１３に流入することをより確実に抑制することができる。
【００３８】
実施の形態２．
次に、本発明の実施の形態２について説明するが、上述した実施の形態１との相違点を中心に説明し、同一部分または相当部分は同一符号を付し説明を省略する。実施の形態２の貯湯式給湯機１００は、低温水流入抑制制御の内容が実施の形態１と異なり、ハードウェア構成は実施の形態１と同様である。
【００３９】
図７は、実施の形態２における浴槽保温制御のフローチャートである。以下、図７を参照して、実施の形態２の低温水流入抑制制御について説明する。ステップＳ０からステップＳ４までは実施の形態１と同様であるため、説明を省略する。
【００４０】
ステップＳ４で、ステップＳ３の判定結果が貯湯利用追焚き運転である場合には、ステップＳ１５に進み、貯湯利用追焚き運転を開始し、リモコンのディスプレイに「保温」の表示を行う。
【００４１】
これに対し、ステップＳ４で、ステップＳ３の判定結果がヒートポンプ利用追焚き運転である場合には、ステップＳ１３に進む。ステップＳ１３では、制御部１の記憶部に記録されている貯湯式給湯機１００の運転実績に基づいて、過去所定のＦ時間以内にヒートポンプユニット３００が駆動された履歴があるか否かが判断される。所定のＦ時間は、ヒートポンプユニット３００の停止後に圧縮機の余熱が十分に残っているような時間として予め設定されており、例えば２時間とされる。このステップＳ１３で過去Ｆ時間以内にヒートポンプユニット３００が駆動された履歴があると判断された場合には、ステップＳ１４に進み、図３に示すヒートポンプ利用追焚き運転を開始し、リモコンのディスプレイに「保温」の表示を行う。このようにしてヒートポンプ利用追焚き運転を開始した場合には、ヒートポンプユニット３００の圧縮機の余熱が残っている状態からヒートポンプユニット３００を起動するので、ヒートポンプユニット３００の能力の立ち上がりが速い。また、ヒートポンプ出口配管１９内に滞留していた湯水も、余熱が残っているので、それほど低温になっていない。このため、ヒートポンプユニット３００から追焚き用熱交換器９に送られる熱源水の温度が早期に上昇するので、ヒートポンプ利用追焚き運転の開始初期に追焚き用熱交換器９から低温の浴槽水が浴槽１３に流入することを確実に抑制することができる。
【００４２】
一方、ステップＳ１３で過去Ｆ時間以内にヒートポンプユニット３００が駆動された履歴がないと判断された場合には、ステップＳ１５に進み、貯湯利用追焚き運転を開始し、リモコンのディスプレイに「保温」の表示を行う。
【００４３】
以上説明した本実施形態によれば、過去Ｆ時間以内にヒートポンプユニット３００が駆動された履歴がある場合にはヒートポンプ利用追焚き運転を許可するので、ヒートポンプ利用追焚き運転の実行機会を十分に増やすことができ、貯湯タンク５の中温水の生成を抑制することができる。また、保温動作の開始が遅れることがなく、追焚き開始時の待ち時間を最小にすることができる。
【００４４】
実施の形態３．
次に、本発明の実施の形態３について説明するが、上述した実施の形態１との相違点を中心に説明し、同一部分または相当部分は同一符号を付し説明を省略する。実施の形態３の貯湯式給湯機１００は、低温水流入抑制制御の内容が実施の形態１と異なり、ハードウェア構成は実施の形態１と同様である。
【００４５】
実施の形態３の貯湯式給湯機１００は、前述した図２に示す貯湯利用追焚き運転（通常の貯湯利用追焚き運転）のほかに、第２の貯湯利用追焚き運転を実行可能になっている。図８は、実施の形態３の貯湯式給湯機１００における第２の貯湯利用追焚き運転状態での回路構成図である。図８に示すように、第２の貯湯利用追焚き運転時には、第１流路切替手段４は第２流路形態に制御され、第２流路切替手段２は第２流路形態に制御される。第２の貯湯利用追焚き運転は、上記のように第１流路切替手段４および第２流路切替手段２が制御された状態で、熱源循環ポンプ３および浴槽循環ポンプ１２を駆動することにより実行される。このような第２の貯湯利用追焚き運転では、貯湯タンク５の上部ポート２８から流出する高温水（熱源水）は、配管２７および熱源水往き流路３１を経由して追焚き用熱交換器９に導かれ、追焚き用熱交換器９において浴槽循環流路を循環する浴槽水と熱交換する。熱交換後の温度低下した熱源水（中温水）は、熱源水戻り流路３２、第１流路切替手段４、ポンプ流路２２（熱源循環ポンプ３）、ヒートポンプ入口配管２０、沸き上げ用熱交換器１８、ヒートポンプ出口配管１９、沸き上げ戻り流路２１、第２流路切替手段２、バイパス流路２４をこの順に経由して、水戻り口４６から貯湯タンク５内に流入する。
【００４６】
図９は、実施の形態３における浴槽保温制御のフローチャートである。以下、図９を参照して、実施の形態３の低温水流入抑制制御について説明する。ステップＳ０からステップＳ４までは実施の形態１と同様であるため、説明を省略する。
【００４７】
ステップＳ４で、ステップＳ３の判定結果が貯湯利用追焚き運転である場合には、ステップＳ２０に進み、図２に示す通常の貯湯利用追焚き運転を開始し、リモコンのディスプレイに「保温」の表示を行う。
【００４８】
これに対し、ステップＳ４で、ステップＳ３の判定結果がヒートポンプ利用追焚き運転である場合には、ステップＳ１６に進む。ステップＳ１６では、上述した図８に示す第２の貯湯利用追焚き運転を開始する。すなわち、第１流路切替手段４を追焚き用熱交換器９側（第２流路形態）に切り替え、第２流路切替手段２はそのまま（第２流路形態）にし、その後、熱源循環ポンプ３を駆動させる。更に、ステップＳ１６では、保温動作の開始を使用者に報知するためにリモコンのディスプレイに「保温」の表示を行うとともに、第２の貯湯利用追焚き運転実施時間ＴｈｐＡＢのカウントアップを開始する。
【００４９】
次いで、ステップＳ１７に進み、第２の貯湯利用追焚き運転実施時間ＴｈｐＡＢが所定の下限時間Ｅ分に達したか否かを判断する。この下限時間Ｅ分は、貯湯タンク５の上部ポート２８から取り出された熱源水が図８に示す流路を経由して第２流路切替手段２に到達するのに必要な時間として予め設定されている。ヒートポンプ出口配管１９およびヒートポンプ入口配管２０の長さが長い場合ほど、下限時間Ｅ分を長くする必要があるので、ヒートポンプ出口配管１９およびヒートポンプ入口配管２０が最長となる場合を見込んで、下限時間Ｅ分を例えば４分と設定してもよい。ステップＳ１７で、第２の貯湯利用追焚き運転実施時間ＴｈｐＡＢがまだ下限時間Ｅ分に達していない場合には、第２の貯湯利用追焚き運転をそのまま続行する。
【００５０】
これに対し、ステップＳ１７で、第２の貯湯利用追焚き運転実施時間ＴｈｐＡＢが下限時間Ｅ分に達した場合には、ステップＳ１８に進み、第２の貯湯利用追焚き運転からヒートポンプ利用追焚き運転に切り替える。すなわち、ステップＳ１８では、第１流路切替手段４はそのまま追焚き用熱交換器９側（第２流路形態）とし、第２流路切替手段２を沸き上げ側（第１流路形態）に切り替え、ヒートポンプユニット３００を起動する。これにより、図３に示すヒートポンプ利用追焚き運転が開始する（ステップＳ１９）。
【００５１】
このように、本実施形態では、ヒートポンプ利用追焚き運転を開始する前に一時的に第２の貯湯利用追焚き運転を実行することにより、ヒートポンプ入口配管２０内やヒートポンプ出口配管１９内などに滞留していた冷水を、貯湯タンク５の上部ポート２８から取り出された高温の熱源水が追焚き用熱交換器９で熱交換した後の中温水に置換することができ、その後にヒートポンプ利用追焚き運転を開始する。このため、ヒートポンプ利用追焚き運転の開始初期には、ヒートポンプ入口配管２０内やヒートポンプ出口配管１９内などに滞留していた冷水が追焚き用熱交換器９の熱源側流路に流入することがなく、上記の置換された中温水が追焚き用熱交換器９の熱源側流路に流入する。これにより、追焚き用熱交換器９から低温の浴槽水が浴槽１３に流入することを確実に抑制することができる。特に、本実施形態では、中温水が第２流路切替手段２に到達するように、第２の貯湯利用追焚き運転実施時間ＴｈｐＡＢの下限時間Ｅ分を設定したことにより、ヒートポンプ入口配管２０内やヒートポンプ出口配管１９内などに滞留していた冷水を中温水に確実に置換することができるので、追焚き用熱交換器９から低温の浴槽水が浴槽１３に流入することをより確実に抑制することができる。なお、第２の貯湯利用追焚き運転実施時間ＴｈｐＡＢが下限時間Ｅ分に達した場合には速やかにヒートポンプ利用追焚き運転に切り替えるので、第２の貯湯利用追焚き運転において中温水が貯湯タンク５に流入することはなく、あるいは流入したとしても量は少ない。このため、貯湯タンク５内に中温水が生成することを確実に抑制することができる。
【００５２】
実施の形態４．
次に、本発明の実施の形態４について説明するが、上述した実施の形態１との相違点を中心に説明し、同一部分または相当部分は同一符号を付し説明を省略する。実施の形態４の貯湯式給湯機１００は、低温水流入抑制制御の内容が実施の形態１と異なり、ハードウェア構成は実施の形態１と同様である。
【００５３】
図１０は、実施の形態４における浴槽保温制御のフローチャートである。以下、図１０を参照して、実施の形態４の低温水流入抑制制御について説明する。ステップＳ０からステップＳ４までは実施の形態１と同様であるため、説明を省略する。
【００５４】
ステップＳ４で、ステップＳ３の判定結果が貯湯利用追焚き運転である場合には、ステップＳ２７に進み、貯湯利用追焚き運転を開始し、リモコンのディスプレイに「保温」の表示を行う。
【００５５】
これに対し、ステップＳ４で、ステップＳ３の判定結果がヒートポンプ利用追焚き運転である場合には、ステップＳ２１に進む。ステップＳ２１では、バイパス運転を実行する。すなわち、ステップＳ２１では、図１に示す待機状態と同じ回路構成のままで、熱源循環ポンプ３およびヒートポンプユニット３００を起動する。図１１は、このときの湯水の流れを示す図である。ステップＳ２１では、更に、ヒートポンプ出口温度検出手段１６により検出されるヒートポンプ出湯温度Ｔｗｏを監視するとともに、バイパス運転実施時間Ｔｂｙｐａｓｓのカウントアップを開始する。その後、ステップＳ２２に進む。
【００５６】
ステップＳ２２では、バイパス運転実施時間Ｔｂｙｐａｓｓが所定の上限時間Ｃ分以内であるか否かを判断する。この上限時間Ｃ分は、ヒートポンプ出口配管１９が最長の場合にヒートポンプユニット３００から出た湯が追焚き用熱交換器９の入口に到達するまでの時間を考慮して予め設定され、例えば４分程度とされる。このステップＳ２２で、バイパス運転実施時間Ｔｂｙｐａｓｓが上限時間Ｃ分にまだ達していない場合には、ステップＳ２３に移行する。
【００５７】
ステップＳ２３では、ヒートポンプ出湯温度Ｔｗｏが所定の判定温度Ｄ℃以上であるか否かを判断する。この判定温度Ｄ℃は、予め設定された値（例えば４０℃）としてもよく、また、そのときの浴槽設定温度に応じた値としてもよい。ヒートポンプ出湯温度Ｔｗｏが判定温度Ｄ℃未満であると判断された場合には、ステップＳ２２以降を再度実行する。
【００５８】
ステップＳ２３で、ヒートポンプ出湯温度Ｔｗｏが判定温度Ｄ℃以上であると判断された場合には、ヒートポンプユニット３００の能力が立ち上がり、且つ、ヒートポンプ出口配管１９内の冷水が中温水に置換されたと判断できるので、ヒートポンプ利用追焚き運転の開始が許可される。すなわち、この場合には、まず、ステップＳ２４に進み、バイパス運転実施時間Ｔｂｙｐａｓｓをクリアし、ヒートポンプ出湯温度Ｔｗｏの監視を終了する。次いで、ステップＳ２５に進み、第１流路切替手段４を追焚き用熱交換器９側（第２流路形態）に切り替え、第２流路切替手段２を沸き上げ側（第１流路形態）に切り替える。これにより、図３に示すヒートポンプ利用追焚き運転が開始する。続いて、保温動作の開始を使用者に報知するため、ステップＳ２６に進み、リモコンのディスプレイに「保温」の表示を行う。
【００５９】
なお、ステップＳ２２でバイパス運転実施時間Ｔｂｙｐａｓｓが上限時間Ｃ分を超えた場合には、保温動作の開始が遅れることを防止するため、ステップＳ２７に進み、貯湯利用追焚き運転に切り替えて保温動作を実行する。
【００６０】
以上説明したように、本実施形態では、ヒートポンプ利用追焚き運転を開始するに際し、一時的にバイパス運転を実行し、ヒートポンプ出湯温度Ｔｗｏが判定温度Ｄ℃以上となった後に、ヒートポンプ利用追焚き運転を実行することにより、ヒートポンプ利用追焚き運転の開始初期に追焚き用熱交換器９から低温の浴槽水が浴槽１３に流入することを確実に抑制することができる。
【００６１】
実施の形態５．
次に、本発明の実施の形態５について説明するが、上述した実施の形態１乃至４との相違点を中心に説明し、同一部分または相当部分は説明を省略する。本実施の形態５では、上述した実施の形態１乃至４においてヒートポンプ利用追焚き運転を実施した場合に、ヒートポンプ利用追焚き運転を終了してヒートポンプユニット３００を停止した後、ヒートポンプ利用追焚き運転と同じ流路のままで熱源循環ポンプ３を駆動して湯水を循環させることにより、沸き上げ用熱交換器１８を冷却する冷却動作を行う。これにより、ヒートポンプユニット３００の停止後に沸き上げ用熱交換器１８内の湯温が余熱で過上昇することを確実に防止することができる。また、このような冷却動作では、バイパス運転と異なり、貯湯タンク５内に中温水が流入しないので、貯湯タンク５内の中温水生成を確実に抑制することができる。
【００６２】
実施の形態６．
次に、本発明の実施の形態６について説明するが、上述した実施の形態１との相違点を中心に説明し、同一部分または相当部分は説明を省略する。本実施の形態６は、上述した実施の形態１とほぼ同様であるが、ヒートポンプ利用追焚き運転の開始時に一時的に停止させた浴槽循環ポンプ１２の駆動を再開させる場合に、浴槽水出口部温度検出手段１０により検出される浴槽水出口温度の上昇傾向を判定する方法が実施の形態１と異なる。図１２は、本発明の実施の形態６において、浴槽水出口部温度検出手段１０により検出される浴槽水出口温度の上昇傾向を判定するフローチャートである。以下、図１２を参照して説明する。
【００６３】
図１２のステップＳ２８では、浴槽水出口部温度検出手段１０の検出温度を浴槽水出口温度Ｔｔｃｏとして取得する。取得後、ステップＳ２９に進み、今回取得された浴槽水出口温度Ｔｔｃｏと、１サンプリング周期前に取得された浴槽水出口温度ＴｃｏＡとを比較する。なお、ＴｃｏＡの初期値は、そのときの浴槽設定温度（例えば４０℃）などが入力されている。ステップＳ２９で、今回の浴槽水出口温度Ｔｔｃｏが前回の浴槽水出口温度ＴｃｏＡより高い場合（ＴｃｏＡ＜Ｔｔｃｏ）には、ステップＳ３０に進む。一方、今回の浴槽水出口温度Ｔｔｃｏが前回の浴槽水出口温度ＴｃｏＡ以下である場合には、ステップＳ４９に進み、ＴｃｏＡをクリアし、次いでステップＳ５０に進み、ステップＳ４９でクリアしたＴｃｏＡにステップＳ２８で取得したＴｔｃｏの値を入力し、ステップＳ２８以下を再度実行する。
【００６４】
ステップＳ３０では、前回値と比べて上昇した浴槽水出口温度Ｔｔｃｏの値をＴｃｏＢに代入し、ステップＳ３１に進む。ステップＳ３１では、浴槽水出口温度Ｔｔｃｏの上昇傾向を確定させるまでの上限時間（例えば１０秒）をセットし、ステップＳ３２に進む。ステップＳ３２では、浴槽水出口温度Ｔｔｃｏが上昇し始めてからの経過時間を計時するタイマーとしてのｔｕｐＴｔｃｏをセットし、セット後にステップＳ３３に進み、経過時間ｔｕｐＴｔｃｏのカウントをスタートさせる。その後、ステップＳ３４に進み、経過時間ｔｕｐＴｔｃｏが上限時間１０秒未満であるか否かを判断する。経過時間ｔｕｐＴｔｃｏが上限時間１０秒未満である場合にはステップＳ３５に進み、経過時間ｔｕｐＴｔｃｏが上限時間１０秒以上である場合にはステップＳ４５に進む。
【００６５】
ステップＳ４５では、現在のＴｔｃｏをクリアし、ステップＳ４６に進む。ステップＳ４６では、ＴｃｏＡをクリアし、ステップＳ４７に進む。ステップＳ４７では、ＴｃｏＢをクリアし、ステップＳ４８に進む。ステップＳ４８では、経過時間ｔｕｐＴｔｃｏをクリアし、その後、ステップＳ２８以下を再度実行する。
【００６６】
経過時間ｔｕｐＴｔｃｏが上限時間１０秒未満である場合に実行されるステップＳ３５〜Ｓ３８は、浴槽水出口部温度検出手段１０により検出される浴槽水出口温度Ｔｔｃｏの更なる上昇を待つループである。まず、ステップＳ３５では、時刻Ｎのカウントアップを行う。次いで、ステップＳ３６では、Ｔｔｃｏのサンプリング周期ｔＳａｍｐ（例えば１秒）を経過時間ｔｕｐＴｔｃｏに加算する。続いて、ステップＳ３７では、現在の時刻Ｎにおける浴槽水出口部温度検出手段１０の検出値をＴｔｃｏ（Ｎ）として取得する。次いで、ステップＳ３８では、ステップＳ３７で取得された現在の浴槽水出口温度Ｔｔｃｏ（Ｎ）が、上昇し始めたときの浴槽水出口温度ＴｃｏＢと比べて、０．５℃（浴槽水出口部温度検出手段１０の分解能に相当する温度）以上増加したか否かを判断する。
【００６７】
ステップＳ３８で、現在の浴槽水出口温度Ｔｔｃｏ（Ｎ）がＴｃｏＢと比べて０．５℃以上増加したと判断された場合には、浴槽水出口温度Ｔｔｃｏが確実に上昇していると判断できるため、ステップＳ３９に進み、浴槽水出口温度Ｔｔｃｏが上昇傾向にあるとの判定を確定する。この場合には、次に、ステップＳ４０に移行してＴｔｃｏ（Ｎ）をクリアし、ステップＳ４１に進む。ステップＳ４１では時刻Ｎをクリアし、ステップＳ４２に進む。ステップＳ４２ではＴｃｏＡをクリアし、ステップＳ４３に進む。ステップＳ４３では、ＴｃｏＢをクリアし、ステップＳ４４に進む。ステップＳ４４では、ｔｕｐＴｔｃｏをクリアし、クリア後、浴槽循環ポンプ１２を再駆動する際の浴槽水出口温度Ｔｔｃｏの上昇傾向を判定するフローチャートが終了する。
【００６８】
以上説明した実施の形態６によれば、浴槽水出口部温度検出手段１０の検出値が誤差によってばらついた場合であっても、誤判定を確実に防止し、浴槽水出口温度Ｔｔｃｏの上昇傾向をより正確且つ即座に判定することができる。
【符号の説明】
【００６９】
１      制御部
２      第２の流路切替手段
３      熱源循環ポンプ
４      第１の流路切替手段
５      貯湯タンク
６      給湯混合弁
７      ふろ混合弁
８      減圧弁
９      追焚き用熱交換器
１０    浴槽水出口部温度検出手段
１１    浴槽水入口部温度検出手段
１２    浴槽循環ポンプ
１３    浴槽
１５    制御部
１６    ヒートポンプ出口温度検出手段
１７    ヒートポンプ入口温度検出手段
１８    沸き上げ用熱交換器
１９    ヒートポンプ出口配管
２０    ヒートポンプ入口配管
２１    沸き上げ戻り流路
２２    ポンプ流路
２３    連通流路
２４    バイパス流路
２６，２７  配管
２８    上部ポート
２９    給湯配管
３０    沸き上げ往き流路
３１    熱源水往き流路
３２    熱源水戻り流路
３３    浴槽水給湯管
３４，３５，３６，３７，３８  配管
４０，４２  給水配管
４１    給水分岐管
４３    混合水給湯管
４４    水導入口
４５    水導出口
４６    水戻り口
１００  貯湯式給湯機
２００  貯湯タンクユニット
３００  ヒートポンプユニット
【図１】
0005678812.tif 000002
【図２】
0005678812.tif 000003
【図３】
0005678812.tif 000004
【図４】
0005678812.tif 000005
【図５】
0005678812.tif 000006
【図６】
0005678812.tif 000007
【図７】
0005678812.tif 000008
【図８】
0005678812.tif 000009
【図９】
0005678812.tif 000010
【図１０】
0005678812.tif 000011
【図１１】
0005678812.tif 000012
【図１２】
0005678812.tif 000013